(57)【要約】【課題】手軽に絵画を描画することができる取扱い容易な絵画用キャンバスキットを提供する。【解決手段】絵画が描画されるシート状のキャンバス本体１０と、該キャンバス本体１０が巻き取られる棒状体１２とを有するキャンバス１と、前記キャンバス本体１０が展開された状態で支持可能なシート体２とを備えている。前記キャンバス本体１０には、絵画の描画領域を画定する枠１８が表示されている。【選択図】図１
2012020410.tif 000002
【特許請求の範囲】
【請求項１】
絵画が描画されるシート状のキャンバス本体と、該キャンバス本体が巻き取られる棒状体とを有するキャンバスと、
前記キャンバス本体を展開した状態で支持可能なシート体とを備え、
前記キャンバス本体には絵画の描画領域を画定する枠が表示されていることを特徴とする絵画用キャンバスキット。
【請求項２】
前記キャンバスは、シート体に支持された状態で展開し得るように構成されている請求項１記載の絵画用キャンバスキット。
【請求項３】
前記キャンバス本体の展開状態を維持するための展開維持手段を備えている請求項１又は２記載の絵画用キャンバスキット。
【請求項４】
前記展開維持手段は、前記キャンバス本体の下端部に幅方向に設けられた下部棒状体と、前記キャンバス本体を展開させた状態で、前記下部棒状体をシート体に固定する固定具とを備えている請求項３記載の絵画用キャンバスキット。
【請求項５】
前記キャンバスは、前記棒状体を回転自在に支持する一対の支持部を有する支持部材を備えている請求項１〜４の何れか一つに記載の絵画用キャンバスキット。
【請求項６】
前記シート体により前記キャンバスを支持させるべく、前記シート体には前記支持部材と前記棒状体間に形成される空間部に挿入される突片が形成されている請求項５記載の絵画用キャンバスキット。
【請求項７】
前記シート体は折畳み可能に構成されている請求項１〜６の何れか一つに記載の絵画用キャンバスキット。
【請求項８】
前記シート体は、前記キャンバスを収納可能な箱状体に折畳み可能に構成されている請求項１〜６の何れか一つに記載の絵画用キャンバスキット。
【発明の詳細な説明】
【技術分野】
【０００１】
本発明は、各種の絵画を描画することのでき、容易に展示することのできる絵画用キャンバスキットに関する。
【背景技術】
【０００２】
一般に、絵画は紙や布地等の描画材料と、鉛筆や絵具等の描画具とがあれば作成することが可能であり、身近で且つ手軽に楽しめる創作物である。このため、従来より絵画は極めて多くの人達に親しまれてきており、絵画を趣味等として創作活動を行う者も多数存在している。このような状況を受けて、従来、より一層絵画作成の便に供し得る種々の製品が開発されるに至っている（実用新案登録第３０４６８３４号公報参照）。
【０００３】
前記従来のものは、スケッチ用画板及びバインダー等としての機能を備えた額縁フラットフレームに関するものである。具体的には、表面側に額縁状立体的イラストが描かれ、裏面にバインダー用クリップが設けられた透明樹脂板と、透明樹脂板と共に絵画を挟持する表面保護用カバーと、これらを収納する収納ケースとを備えており、収納ケースにはその裏面に描画する紙を固定するためのスケッチ用クリップが設けられている。
【０００４】
これを使用して絵画を描画する場合は、先ず描画する紙を収納ケースの裏面上にセットした状態でスケッチ用クリップにより固定する。紙に絵画を描画した後には収納ケースの裏面から取外し、透明樹脂板と表面保護用カバー間に挟持した状態でバインダー用クリップにより固定する。これにより、額縁内に配置された状態で絵画を透明樹脂板の表面側から確認することができる。
【先行技術文献】
【特許文献】
【０００５】
【特許文献１】実用新案登録第３０４６８３４号公報
【発明の概要】
【発明が解決しようとする課題】
【０００６】
しかしながら、上記の従来のものは、収納ケースの裏面に紙を固定して描画するものであるために、収納ケースよりも大きな紙については描画を行うことは困難である。すなわち、適用可能な紙の大きさが大幅に制限されるという難点を有していた。
【０００７】
また、描いた絵画を額縁に装着した際の状況を確認できる機能を有してはいるものの、それに止まるものであり、実際にその状態で展示等を行えるというような機能は有していなかった。
【０００８】
また、描画の前後において紙は展開した状態で収納ケースに収納されるか、或いは透明樹脂板と表面保護カバー間に挟持した状態で収納されるために、嵩張るのは勿論こと、折れや曲げ等の損傷を生ぜしめ易いという問題点もあった。
【０００９】
本発明は、かかる点に鑑みてなされたものであり、その目的とするところは、手軽に絵画を描画することができる取扱い容易な絵画用キャンバスキットであると共に、容易に展示することができる絵画用キャンバスキットを提供することにある。また、他の目的は、展示した状態で壁掛けや窓のロールブラインドとしての機能を備える装飾性の高い絵画用キャンバスキットを提供することにある。
【課題を解決するための手段】
【００１０】
本発明に係る絵画用キャンバスキットは、絵画が描画されるシート状のキャンバス本体と、該キャンバス本体が巻き取られる棒状体とを有するキャンバスと、前記キャンバス本体を展開した状態で支持可能なシート体とを備え、前記キャンバス本体には絵画の描画領域を画定する枠が表示されていることを特徴としている。
【００１１】
これによれば、展開したキャンバス本体をシート体に支持させた状態で、シート本体に表示された枠に絵を描画する。このようにして、絵画は枠内に描画されるために、別途額縁を用意する必要はなくなり、この状態で展示することもできる。
【００１２】
また、キャンバス本体は棒状体に巻取り可能に構成されているために、巻き取ったコンパクトな形態で、その携帯、収納、保管時等を行うことが可能であり、非常に使い勝手が良好である。このため、絵画作成用キャンバスキッド及び描画具を携帯しておけば、必要に応じて絵画を手軽に描画することが可能になる。
【００１３】
さらに、シート体はその性質上、大きさ等の変更は比較的容易に行うことができるために、キャンバスの大きさ等に対して柔軟に対応することが可能である。
【００１４】
また、前記キャンバスは、シート体に支持された状態で展開し得るように構成されてもよい。
【００１５】
これによると、キャンバスをシート体に支持させた状態で展開させることができるので、使用上の取扱いが簡易なものになる。
【００１６】
また、前記キャンバス本体の展開状態を維持するための展開維持手段を備えさせるようにしても構わない。
【００１７】
これによると、展開維持手段によりキャンパス本体の展開状態が適切に維持されるために、キャンバス本体への描画作成が良好に行えることになる。
【００１８】
また、前記展開維持手段は、前記キャンバス本体の下端部に幅方向に設けられた下部棒状体と、前記キャンバス本体を展開させた状態で、前記下部棒状体をシート体に固定する固定具とを備えるように構成してもよい。
【００１９】
これによると、キャンバス本体が展開された状態で、その下部棒状体が固定具によりシート体に固定されることになるため、キャンバス本体の展開状態が確実に維持されて、キャンバスに対する最適な描画環境を得ることができる。
【００２０】
また、前記キャンバスは、前記棒状体を回転自在に支持する一対の支持部を有する支持部材を備えていてもよい。
【００２１】
これによると、キャンバス本体を引き下げることにより、キャンバス本体が展開されることになる。そして、絵画の描画後においては、支持部材を窓部や壁面等に固定することも可能となり、壁掛けやロールブラインドとしても使用ができる。
【００２２】
また、前記シート体により前記キャンバスを支持させるべく、前記シート体には前記支持部材と前記棒状体間に形成される空間部に挿入される突片が形成されるようにしても構わない。
【００２３】
これによると、支持部材と棒状体間に形成される空間部にシート体の突片が挿入されると、支持部材を介してキャンバスがシート体により支持されることになる。
【００２４】
また、前記シート体は折畳み可能に構成されていても構わない。
【００２５】
これによると、シート体を折り畳むことによりコンパクト化が図れるために、携帯性が向上することになる。
【００２６】
また、前記シート体は、前記キャンバスを収納可能な箱状体に折畳み可能に構成されてもよい。
【００２７】
これによると、絵画の描画の前後においてキャンバスをシート体内に収納することが可能になるために、その携帯時や保管時等おける使い勝手が一層良好なものになる。
【００２８】
さらに、本発明に係る絵画用キャンバスキットは、全体が非常に簡易な構成からなるために、その製作も容易に且つ安価に行える。
【発明の効果】
【００２９】
本発明によれば、手軽に絵画を描画することができる取扱い容易な絵画用キャンバスキットを得ることができる。
【図面の簡単な説明】
【００３０】
【図１】本発明の一実施形態に係る絵画用キャンバスキットを示し、（ａ）はキット構成部材の斜視図で、（ｂ）は収納状態の斜視図である。
【図２】キャンバスの正面図である。
【図３】シート体の展開図である。
【図４】キャンバスをシート体に支持させた状態を示し、（ａ）は正面図で、（ｂ）は側面図である。
【図５】キャンバスをシート体に支持させた状態を示す斜視図である。
【図６】シート体を介してキャンバスをイーゼルにセットした状態を示す正面図である。
【図７】他の実施形態に係る絵画用キャンバスキットを示し、イーゼルにセットされた状態を示す正面図である。
【図８】他の実施形態に係る絵画用キャンバスキットを示し、イーゼルにセットされた状態を示す正面図である。
【発明を実施するための最良の形態】
【００３１】
以下、本発明に係る絵画用キャンバスキットの一実施形態について、図面に従って説明する。絵画用キャンバスキットＡは、図１（ａ）に示すように、絵画が描画されるキャンバス１と、折り畳むことにより直方体形状の箱に組立てることのできるシート体２とを備えている。キャンバス１は、同図（ｂ）に示すように、組立てられた状態にあるシート体２内に収納することができる。
【００３２】
キャンバス１は、図２に示すように、例えば紙や布等からなる矩形シート状のキャンバス本体１０と、キャンバス本体１０の上端部に幅方向に設けた筒状部１１に挿着される棒状体１２と、両端部に棒状体１２を回転自在に支持する一対の支持部１３、１３を備えた平面略コの字状の支持部材１４と、キャンバス本体１０の下端部に幅方向に取付けられる下部棒状体１５と、下部棒状体１５の略中央に筒状体１６を介して取付けられるリング状の摘み１７とを備えている。キャンバス本体１０は、棒状体１２を回転することにより、これに巻き取れるように構成されている。また、キャンバス本体１０の表面側略中央部には額縁状の枠１８が印刷により表示されており、通常この枠１８内に絵画が描画されることになる。すなわち、枠１８は絵画描画領域を画定する機能を有している。なお、枠１８は必ずしも額縁状とする必要はなく、例えば描画すべき絵画の種類等に応じて形状等も適宜変更が可能である。
【００３３】
シート体２は、一層の中芯を有する所謂両面段ボールからなっており、その展開図は図３に示すように、一般的な直方体形状の箱と略同様に構成されている。但し、箱状に組立てた際に、重合状態で接離可能に接着される一対の上面部２０、２１が略同面積に形成されている点で相違する。一方の上面部２０が他方の上面部２１の外側に配されるように重合接着される。また、各上面部２０、２１の対応する角部分には、略Ｌの字状に切断された切欠部２２、２３が夫々設けられており、切欠部２２、２３間には、二点鎖線で示すような矩形状の突片２４が形成されることになる。突片２４の幅Ｐは、支持部材１４の支持部１３、１３間の幅Ｑ（図２参照）よりも若干小さく形成されている。
【００３４】
絵画用キャンバスキットＡは、次のような展開維持手段を有している。すなわち、上面部２１の長辺２１ａの途中位置には長手方向に所定間隔を有して切込２５、２５が形成されており、切込２５、２５間には舌片２６が設けられている。上面部２０の一方（図３では下方）の短辺２０ａには蓋片２７が設けられている。箱状に組立てた際に、上面部２０、２１に対向する下面部２８の一方（図３では上方）の短辺２８ａにも蓋片２９が設けられている。なお、シート体２の切欠部２３から舌片２６の中心までの距離Ｒと、支持部材１４の支持部１３の下面から下部棒状体１５の軸芯までの距離Ｓ（図２参照）と略同様となるように構成されている。
【００３５】
本実施形態に係る絵画用キャンバスキッドＡは、以上のような構成からなっている。次に、これを使用して絵画を描画する場合について説明する。通常、キャンバス１は図１（ｂ）に示すように箱状に組立てられたシート体２内に収納されており、この状態で例えば携帯されたり、保管等されたりすることになる。
【００３６】
先ず、図１（ｂ）に示すように、シート体２の蓋片２７、２９を開蓋してキャンバス１を取り出す。次に、図４及び図５に示すように、シート体２を平面状に展開させた状態で、その突片２４をキャンバス１の支持部材１４と棒状体１２との間に形成される空間部３１に挿入する。これにより、シート体２を前後方向に撓ませることなく、平面状態が維持される。また、シート体２の蓋片２７、２９を除く他の部位の折り目は、シート体２がキャンバス１を支持する方向と平行（図３の上下方向）に設けられているために、キャンバス１の重量によって上下方向に撓むというようなこともない。このようにして、キャンバス１が略平面状態を維持しつつシート体２に支持される。
【００３７】
また、シート体２の下部棒状体１５の一端部はシート体２の切込２５間（舌片２６の略前方位置）に配置されるために、その舌片２６と下部棒状体１５の一端部を例えば輪ゴムや紐状体等の固定具３０により固定する。これによって、キャンバス１は良好な展開状態でシート体２上に確実に支持されることになる。かかる一連の作業は非常に簡易に行うことが可能であるために、作業者に負担をかけることなく、迅速に絵画の描画を開始することができる。
【００３８】
この状態で、例えば机上等において絵画の種類に応じた描画具を使用して枠１８内に描画を行う。この場合、キャンバス１はシート体２に確実に支持されているために、描画中にキャンバス１が不用意に移動するようなことは殆どなく、描画作業に支障を与えることもない。
【００３９】
また、例えばイーゼル４０を使用して描画する場合は、図６に示すように、下方の蓋片２７を裏側へ折り畳むことによりシート体２の下面を略水平にして、イーゼル４０上にセットすることができる。これによると、キャンバス１は起立状態で支持されることになるが、この場合においてもシート体２によるキャンバス１の支持は適切に維持されるために、良好な描画環境を得ることができる。
【００４０】
また、シート体２はその性質上、大きさ等の変更は比較的容易に行うことができるために、キャンバス１の大きさ等に対して柔軟に対応することが可能である。
【００４１】
そして、絵画の作成が完成等した場合は、例えばシート体２からキャンバス１を取外す一方で、再度シート体２を箱状に組立て、その中にキャンバス１を収納すれば、キャンバス１に損傷を与えることなく、この状態で携帯したり、適切に保管することもできる。但し、キャンバス１はシート体２に収納することなく、別個に携帯等しても構わない。
【００４２】
また、キャンバス本体１０は棒状体１２を介して支持部材１４に巻取り可能に構成されているので、支持部材１４を壁面や窓の上方位置に固定することにより、キャンバス１を壁掛けやロールブラインド等として使用することもできる。この場合、絵画はキャンバス本体１０の枠１８内に描画されているために、別途額縁を用意する必要はない。
【００４３】
また、本実施形態に係る絵画用キャンバスキットＡは、全体が非常に簡易な構成からなるために、その製作も容易に且つ安価に行えるという実用的な利点も有している。
【００４４】
なお、上記実施形態においては、両面段ボールからなるシート体２を使用したが、本発明は決してこれに限定されるものではない。例えば、片面段ボール、復両面段ボールの他、段ボール以外素材からなるシート体２を使用することも可能である。
【００４５】
また、キャンバス１の大きさも適宜変更が可能であり、その大きさは問うものではない。例えば、図７及び図８に示すように、キャンバス１の大きさに応じてシート体２の大きさを適宜変更すればよい。本実施形態に係るシート体２は、図７に示すように横置きにしても、図８に示すように縦置きにしても適用できるように構成されている。すなわち、シート体２の一長片２１ａに所定間隔を有して切込５０、５０が設けられ、中央に突片２４が形成されると共に、突片２４がキャンバス１の支持部材１４と棒状体１２間の空間部に挿入された際に、下部棒状体１５の一端部が配される位置に対応するシート体２の部位に舌片５１を有する孔５２が形成されている。同様にして、シート体の一短辺２０ａに所定間隔を有して切込５３、５３が設けられ、中央に突片２４が形成されると共に、突片２４がキャンバス１の支持部材１４と棒状体１２間の空間部に挿入された際に、下部棒状体１５の一端部が配される位置に対応するシート体２の部位に舌片５４を有する孔５５が形成されている。
【００４６】
さらに、キャンバス１には上記実施形態のような支持部材１４を備えさせる必要はなく、例えばシート体２側で棒状体１２を支持するように構成することも可能である。
【００４７】
また、上記実施形態の如き展開維持手段は必要に応じて設ければよいものであり、キャンバス１の良好な展開状態を確保できる場合は省略しても構わない。
【００４８】
また、シート体２は上記実施形態のように、キャンバス１を収納可能な箱状体に折畳み可能に構成する必要はなく、単に折畳みのみ可能に構成しても構わない。この場合においても、シート体２はコンパクトに折畳むことができるために、その携帯等の便に供することになる。なお、シート体２には、このような折畳み機能を備えさせなくてもよい。
【００４９】
その他、キャンバス１やシート体２の形状等の具体的な構成も、本発明が意図する範囲内において任意に設計変更自在である。
【符号の説明】
【００５０】
１    キャンバス
２    シート体
１０    キャンバス本体
１２    棒状体
１３    支持部
１４    支持部材
１５    下部棒状体
１８    枠
２４    突片
３０    固定具
３１    空間部
Ａ    絵画用キャンバスキット
【図１】
2012020410.tif 000003
【図２】
2012020410.tif 000004
【図３】
2012020410.tif 000005
【図４】
2012020410.tif 000006
【図５】
2012020410.tif 000007
【図６】
2012020410.tif 000008
【図７】
2012020410.tif 000009
【図８】
2012020410.tif 000010